(57)【要約】      （修正有）【課題】調光装置からの交流（ＡＣ）パワーを受け取って、ＬＥＤに安定した駆動電圧及び駆動電流を提供する発光ダイオード（ＬＥＤ）の駆動回路及びそれを用いた照明装置を提供する。【解決手段】ＬＥＤの駆動回路は、整流器ユニット、分圧回路、制御ユニット、電圧コンバータ、抵抗器とコンデンサを含む。整流器ユニットは、ＡＣパワーを整流して第１の動作電圧を発生させる。分圧回路は、分圧信号を発生させる。制御ユニットは、調整ユニットとパルス幅変調ユニットを含む。調整ユニットの出力端子は、ＰＷＭユニットに連接される。電圧コンバータは、ＬＥＤの駆動電圧と駆動回路を調節する。抵抗器は、調整ユニットの出力端子とダイオードの間に連接される。コンデンサは、調整ユニットの電力入力端子とグランド端子の間に連接される。ＰＷＭユニットは、分圧信号と電圧コンバータにより出力されるフィードバック信号に基づいて、ＰＷＭ信号を調節する。【選択図】図５
0003154763.tif 000002
【実用新案登録請求の範囲】
【請求項１】
発光ダイオード（LED）を駆動するためのACパワーを受け取るのに用いる発光ダイオードの駆動回路であって、
第1の動作電圧を発生させるために前記ACパワーを整流する整流器ユニットと、
前記整流器ユニットに連接され、前記第1の動作電圧を受け取り、前記第1の動作電圧に対応する分圧信号を生み出す分圧回路と、
調整ユニットとパルス幅変調（pulse width modulation/PWM）ユニットを含み、前記調整ユニットの出力端子が前記PWMユニットに連接し、前記PWMユニットがPWM信号を出力する制御ユニットと、
前記LEDを駆動するために前記制御ユニットと前記LEDの間に連接され、前記PWM信号に基づき前記LEDの駆動電圧と駆動電流を調節する電圧コンバータと、
前記整流器ユニットの出力端子と、一方の端子が前記調整ユニットの電力入力端子と連接しているダイオードとの間に連接される抵抗器と、
前記調整ユニットの前記電力入力端子とグランド端子の間に連接される第1のコンデンサとを備え、
前記分圧信号と前記電圧コンバータにより出力されるフィードバック信号に基づき、前記PWMユニットが前記PWM信号を調節することを特徴とする
発光ダイオードの駆動回路。
【請求項２】
前記調整ユニットの出力端子と前記グランド端子の間に連接される第2のコンデンサをさらに含むことを特徴とする請求項１に記載の駆動回路。
【請求項３】
前記電圧コンバータが前記整流器ユニットの前記出力端子に連接されることを特徴とする請求項１に記載の駆動回路。
【請求項４】
前記整流器ユニットが、ACパワーを整流して整流電圧を発生させる整流器を含むことを特徴とする請求項１に記載の駆動回路。
【請求項５】
前記整流器ユニットが更に、前記整流器の出力端子に接続され、前記整流電圧を受け取って前記第1の動作電圧を前記電圧コンバータに出力するフィルターを含むことを特徴とする請求項4に記載の駆動回路。
【請求項６】
前記整流電圧が、実質的に前記第1の動作電圧に相当することを特徴とする請求項4に記載の駆動回路。
【請求項７】
前記調整ユニットが、前記第1の動作電圧を受け取って、前記PWMユニットに第2の動作電圧を出力することを特徴とする請求項1に記載の駆動回路。
【請求項８】
前記制御ユニットが、特定用途向け集積回路（application specific integrated circuit/ASIC）であることを特徴とする請求項1に記載の駆動回路。
【請求項９】
前記電圧コンバータが、降圧回路であることを特徴とする請求項1に記載の駆動回路。
【請求項１０】
前記ACパワーが、調光装置で調節されるACパワーであることを特徴とする請求項1に記載の駆動回路。
【請求項１１】
照明のためのACパワーの受け取りに用いる照明装置であって、
LEDと、
第1の動作電圧を発生させるために前記ACパワーを整流する整流器ユニットと、前記整流器ユニットに連接され、前記第1の動作電圧を受け取って前記第1の動作電圧に対応する分圧信号を生み出す分圧回路と、調整ユニットとパルス幅変調（pulse width modulation/PWM）ユニットを含みかつ前記調整ユニットの出力端子が前記PWMユニットに連接し、前記PWMユニットがPWM信号を出力する制御ユニットと、前記発光ダイオード（LED）を駆動するために前記制御ユニットと前記LEDの間に連接され、前記PWM信号に基づき前記LEDの駆動電圧と駆動電流を調節する電圧コンバータと、前記整流器ユニットの出力端子と、一方の端子が前記調整ユニットの電力入力端子と連接しているダイオードとの間に連接される抵抗器と、前記調整ユニットの前記電力入力端子とグランド端子の間に連接される第1のコンデンサとを有する、前記LEDに連接される駆動回路とを備え、
前記分圧信号と前記電圧コンバータにより出力されるフィードバック信号に基づき、前記PWMユニットが前記PWM信号を調節することを特徴とする  照明装置。
【請求項１２】
さらに、前記調整ユニットの出力端子と前記グランド端子の間に連接される第2のコンデンサを含むことを特徴とする請求項11に記載の照明装置。
【請求項１３】
前記電圧コンバータが前記整流器ユニットの前記出力端子に連接されることを特徴とする請求項11に記載の照明装置。
【請求項１４】
前記整流器ユニットが、前記ACパワーを整流して整流電圧を発生させる整流器を含むことを特徴とする請求項11に記載の照明装置。
【請求項１５】
前記整流器ユニットが更に、前記整流器の出力端子に接続され、前記整流電圧を受け取って前記第1の動作電圧を前記電圧コンバータに出力するフィルターを含むことを特徴とする請求項14に記載の照明装置。
【請求項１６】
前記整流電圧が、実質的に前記第1の動作電圧に相当することを特徴とする請求項14に記載の照明装置。
【請求項１７】
前記調整ユニットが、前記第1の動作電圧を受け取って、前記PWMユニットに第2の動作電圧を出力することを特徴とする請求項14に記載の照明装置。
【請求項１８】
前記制御ユニットが、ASICであることを特徴とする請求項14に記載の照明装置。
【請求項１９】
前記電圧コンバータが、降圧回路であることを特徴とする請求項14に記載の照明装置。
【請求項２０】
前記ACパワーが、調光装置で調節されるACパワーであることを特徴とする請求項14に記載の照明装置。
【考案の詳細な説明】
【技術分野】
【０００１】
この考案は、駆動回路及び照明装置に関するものである。特には、発光ダイオード（light emitting diode, LED）を駆動するための駆動回路及びそれを用いた照明装置に関するものである。
【背景技術】
【０００２】
照明装置に関連する技術に関して、通常調光装置が電源装置を制御するために用いられ、発光装置（例えば、電球）がオンオフされるだけでなく、照明装置の発光効果も微調整されることができる。図1は、従来の照明装置を例示している図である。図1を参照すると、照明装置100は、電源装置102、調光装置104及び電球106を含む。電源装置102は、入力電圧を提供し、入力電圧は、交流(AC)パワーでもよい。使用者が調光装置104を介して電球106の発光効果を調節するとき、電球106の発光効果を微調整するために、調光装置104は、導通条件に基づいて電圧を提供することができる。さらに、回路構造に関して、従来の照明装置の発光装置（例えば、従来のタングステン電球（tungsten bulb））は、一般的に抵抗器としての特性を有する。
【考案の概要】
【考案が解決しようとする課題】
【０００３】
一般的な省エネルギーとカーボン縮減のテクノロジー傾向により、発光ダイオード(LED)ランプは、徐々に発光装置の主要な選択となってきている。そこで、コストの考慮のもと、関連分野において、電源装置102と調光装置104が変わらない状況において、電球106は、LEDランプに取って代わられている。しかし、回路構造に関して、LEDランプは一般的にコンデンサとしての特性を有するので、使用者が調光装置104を介してLEDランプの明るさを調節するとき、電源装置102から出力されたACパワーが調光装置104により導通された後、調光装置104により提供された電圧は、LEDランプの点滅現象をおこさせる。
【０００４】
そこで、LEDランプに適した調光技術が提供される。調光装置104により調節された出力電圧は、LED調光可能な特定用途向け集積回路（application specific integrated circuit/ASIC）を介して、内部の対応する電圧に復調され、対応する電圧はパルスを得るために三角波（triangular wave）と比較される。パルスは、LEDを流れる電流量を制御するようにパワートランジスタ（power transistor）を駆動して、LEDランプの調光効果を達成する。しかし、上記技術によって周辺回路の複雑さが増すこととなり、製造コストは、ドライバーICの高値のために高くなる。
【考案の目的】
【０００５】
この考案は、LEDに安定した駆動電圧及び駆動電流を提供するために調光装置からの交流(AC)パワーを受け取ることができる発光ダイオード(LED)の駆動回路を提供するものである。
【０００６】
この考案は、LEDが駆動電圧と駆動電流に基づいて、対応する安定した明るさを提供することができるように、安定した駆動電圧及び駆動電流を提供するために調光装置からのACパワーを受け取る照明装置を提供するものである。
【０００７】
この考案は、LEDを駆動するACパワーを受け取るのに適したLEDの駆動回路を提供するものである。駆動回路は、整流器ユニット、分圧回路（voltage-dividing circuit）、制御ユニット、電圧コンバータ、抵抗器及び第1のコンデンサを含む。整流器ユニットは、第1の動作電圧を発生させるためにACパワーを整流する。分圧回路は、整流器ユニットに連接され、第1の動作電圧を受け取り、第1の動作電圧に対応する分圧信号を発生させる。制御ユニットは、調整ユニット及びパルス幅変調（PWM）ユニットを含む。調整ユニットの出力端子は、PWMユニットに連接される。PWMユニットは、PWM信号を出力する。電圧コンバータは、LEDを駆動するために制御ユニットとLEDの間に連接され、PWM信号に基づいてLEDの駆動電圧及び駆動電流を調節する。抵抗器は、整流器ユニットの出力端子とダイオードの間に連接される。ダイオードのもう一つの端子は調整ユニットの電力入力端子に連接される。第1のコンデンサは、調整ユニットの電力入力端子とグランド端子の間に連接される。PWMユニットは、分圧信号と電圧コンバータにより出力されるフィードバック信号に基づき、PWM信号を調節する。
【課題を解決するための手段】
【０００８】
この考案の実施の形態中、駆動回路は、調整ユニットの出力端子とグランド端子の間に連接された第2のコンデンサを更に含む。
【０００９】
この考案の実施の形態中、電圧コンバータは、整流器ユニットの出力端子に連接される。
【００１０】
この考案の実施形態中、整流器ユニットは、ACパワーを整流して整流電圧を発生させる整流器を含む。
【００１１】
この考案の実施形態中、整流器の出力端子に接続され、整流電圧を受け取って第1の動作電圧を電圧コンバータに出力するフィルターを更に含む。
【００１２】
この考案の実施形態中、整流電圧は、実質的に第1の動作電圧に相当する。
【００１３】
この考案の実施形態中、調整ユニットは、第1の動作電圧を受け取って、PWMユニットに第2の動作電圧を出力する。
【００１４】
この考案の実施形態中、制御ユニットは、特定用途向け集積回路（ASIC）である。
【００１５】
この考案の実施形態中、電圧コンバータは、降圧回路である。
【００１６】
この考案の実施形態中、ACパワーは、調光装置で調節されるACパワーである。
【作用】
【００１７】
この考案は、照明のためにACパワーを受け取るのに適した照明装置を提供するものである。照明装置は、LED及び駆動回路を含む。駆動回路は、LEDに連接され、整流器ユニット、分圧回路（voltage-dividing circuit）、制御ユニット、電圧コンバータ、抵抗器及び第1のコンデンサを含む。整流器ユニットは、第1の動作電圧を発生させるためにACパワーを整流する。分圧回路は、整流器ユニットに連接され、第1の動作電圧を受け取り、第1の動作電圧に対応する分圧信号を生み出す。制御ユニットは、調整ユニット及びPWMユニットを含む。調整ユニットの出力端子は、PWMユニットに連接される。PWMユニットは、PWM信号を出力する。電圧コンバータは、LEDを駆動するために制御ユニットとLEDの間に連接され、PWM信号に基づいてLEDの駆動電圧及び駆動電流を調節する。抵抗器は、整流器ユニットの出力端子とダイオードの間に連接される。ダイオードのもう一つの端子は調整ユニットの電力入力端子に連接される。第1のコンデンサは、調整ユニットの電力入力端子とグランド端子の間に連接される。PWMユニットは、分圧信号と電圧コンバータにより出力されたフィードバック信号に基づき、PWM信号を調節する。
【考案の効果】
【００１８】
従って、この考案の照明装置は、LEDの駆動回路とLEDを含み、LEDを具える照明装置は従来のランプベースに直接取り付けられ、その照明の明るさは従来の調光装置で調節されることができる。駆動回路は、調光装置により提供されるACパワーを受け取り、パルス信号のデューティサイクルとPWM信号に基づき、抵抗器、ダイオード、コンデンサのバイパス構造を介して、安定した駆動電圧と駆動電流を連続的に提供することができる。従って、照明装置のLEDの明るさを調節できるだけでなく、ACパワーの波形バリエーションにより発生するLEDの点滅減少を避けることができる。
【００１９】
この考案の上記及びその他の特徴及び効果を理解できるようにするため、幾つかの具体的な実施の形態を図面と併せて、以下で詳細な説明を行う。
【図面の簡単な説明】
【００２０】
添付の図面は、この考案を更に理解するために提供するものであり、また併せてこの明細を構成するものでもある。図面は、考案の実施の形態を例示しており、説明と併せて考案の原則を説明する助けとする。
【００２１】
【図１】従来の照明装置を例示する図である。
【００２２】
【図２】この考案の実施の形態に基づく照明装置を例示した図である。
【００２３】
【図３Ａ】ACパワーVinの波形図である。
【００２４】
【図３Ｂ】整流電圧Vmの波形図である。
【００２５】
【図３Ｃ】第１の動作電圧Vfの波形図である。
【００２６】
【図４Ａ】この考案の他の実施の形態に基づく照明装置の部分回路図である。
【００２７】
【図４Ｂ】図４Ａの制御ユニットの詳細回路図である。
【００２８】
【図５】この考案の他の実施の形態に基づく照明装置の略図である。
【００２９】
【図６】第1の動作電圧と駆動電流の波形図である。
【００３０】
【図７Ａ】第１の動作電圧と第２の動作電圧の波形図である。
【図７Ｂ】第１の動作電圧と第２の動作電圧の波形図である。
【図７Ｃ】第１の動作電圧と第２の動作電圧の波形図である。
【考案を実施するための形態】
【００３１】
図2は、この考案の実施の形態に基づく照明装置を例示した図である。図2を参照すると、照明装置200は、発光ダイオード(LED)210と駆動回路220を含む。駆動回路220は、整流器ユニット222、分圧回路224、制御ユニット226、電圧コンバータ228、抵抗器R1、コンデンサC2およびダイオードD1を含む。本実施の形態において、照明装置200は、電源装置230と調光装置240を更に含み、調光装置240は、電源装置230からの入力電圧Vsを受け取り、導通条件に基づいて、交流（AC）パワーVinを出力する。本実施の形態において、調光装置240は、三電極ACスイッチ（TRIAC）で実行されるけれども、この考案は、これに限るものではない。さらに、TRIAC調光装置で調節される光源の照度値は、最大値、第1から第7値及び最小値の9つの等級にわけられ、各等級は、異なるディレイアングル（delay angle）αに対応する。ディレイアングルαが大きいほど、導通角は小さく、調光装置240のオフ時間が長くなる。電源装置230は、ACパワー又は電源装置により提供される電源でもよいが、この考案に限るものではない。
【００３２】
また、整流器ユニット222は整流器222aとフィルター222bを更に含み、フィルター222bは、整流器222aの出力端子に連接される。整流器222aは、整流電圧Vmを生み出すためにACパワーVinを整流し、ファイルター222bに送る。フィルター222bは、分圧回路224、制御ユニット226と電圧コンバータ228に第1の動作電圧Vfに出力する。また、本実施の形態の制御ユニット226は、調整ユニット226a及びパルス幅変調（pulse width modulation/PWM）ユニット226bを含む。調整ユニット226aは、PWMユニット226bに安定した第2の動作電圧VDDを出力するために第1の動作電圧Vfを受け取る。また、PWMユニット226bは、分圧回路224の分圧信号Vd及び電圧コンバータ228により提供されたフィードバック信号iLに基づき、電圧コンバータ228にPWM信号PWMSを生み出す。その後、電圧コンバータ228は、LED210を駆動し、PWM信号PWMSに基づき、LED210の駆動電圧Vdrと駆動電流Idrを調節する。
【００３３】
図2を参照すると、分圧回路224は、抵抗器R2とR3を含む。分圧回路224は、抵抗器R3を介してグランド端子Vssに連接し、分圧信号Vdを生み出すために第1の動作電圧Vfを分割し、そのうち分圧信号Vdは、抵抗器R2とR3の間の共同ノードからPWMユニット226bへ出力される。さらに、分圧回路224の使用は、従来のLED照明装置の容量特性を改善することができ、照明装置200の全体の力率（power factor/ PF）をおよそ0.962まで高めることができる。
【００３４】
注意すべきことは、図2のコンデンサC2は、制御ユニット226によって必要とされる駆動電圧、即ち整流器ユニット222によって提供される第1の動作電圧Vfを保存するために用いられる。従って、たとえ調光装置240が最小（即ち、TRIACディレイアングルαが最大値を持つ）位置に調節されたとしても、まだ制御ユニット226を駆動するために充分な駆動電圧を有しており、不安定な電圧により起こるLEDの点滅減少を避ける。一方、抵抗器R1は、限流抵抗器であり、整流器ユニット222の出力端子とダイオードD1の間に連接され、コンデンサC2の充電時間に影響することができる。つまり、コンデンサC2の充電が速いことを要求されるのであれば、抵抗器R1は小さくなければならず、コンデンサC2は、調整ユニット226aの電源入力端子とグランド端子Vssの間に連接される。さらに、ダイオードD1の他の端子は、調整ユニット226aの電源入力端子に連接され、電流の流れる方向を制限することができる。即ち、ダイオードD1を流れる電流は、整流器ユニット222から制御ニュニット226の方向に沿ってのみ流れることができる。それにより、もとの充電回路を介してコンデンサC2に保存されるエネルギーの損失を避けることができ、コンデンサC2のもとの充電経路が放電経路に変化することを避けることができる。同様に、本実施の形態の照明装置200は、さらにコンデンサC1を含む。コンデンサC1は、調整ユニット226aの出力端子とグランド端子Vssの間に連接され、PWMユニット226bの第2の動作電圧VDDを安定させるために用いられる。
【００３５】
本実施の形態の照明装置200の動作を詳細に説明するため、図3Aから図3Cに照明装置200が作動している間に発生する関連信号又は電圧の波形図を示す。図3Aは、ACパワーVinの波形図である。図2及び図3Aを参照すると、調光装置240は、TRAICの導通条件を調節することにより、ACパワーのデューティサイクルと波形を調節する。つまり、調光装置240は、ACパワーVinの半分のデューティサイクルT1とT2を調節する。続いて、整流器222aは、整流電圧Vmを供給するようにACパワーVinを整流し、その整流電圧Vmの波形は、図3に示すとおりである。
【００３６】
図2から図3Bを参照すると、ACパワーのデューティサイクルと波形が変わるとき、整流電圧Vmのデューティサイクルと波形も伴って変わる。例えば、デューティサイクルT3は、デューティサイクルT1に伴って変化し、デューティサイクルT4は、デューティサイクルT2に伴って変化する。従って、整流器222によってLED210に提供される駆動電圧Vdrと駆動電流Idrも変化し、それによりLED210の明るさが調節される。本実施の形態では、整流器222aは、ブリッジ整流器（bridge rectifier）でもよいが、本考案はこれに限るものではない。
【００３７】
また、フィルター222bは、第1の動作電圧Vfを制御ユニット226に出力するために、整流電圧Vmを受け取って濾過し、そのうち第1の動作電圧Vfの波形は、図3Cに示すとおりである。続いて、調整ユニット226aは、第1の動作電圧Vfを受け取り、PWMユニット226bの動作のために第2の動作電圧VDDを出力する。
【００３８】
上記説明によると、第2の動作電圧VDDがPWMユニット226bのための動作パワーを提供するので、PWMユニット226bは、分圧信号Vdと電圧コンバータ228により提供されるフィードバック信号iLに基づき、PWM信号PWMSを調節することができる。一方、電圧コンバータ228は、PWM信号PWMSに基づいて駆動電圧Vdrと駆動電流Idrを調節して、LED210の明るさを調節することができる。さらに、電圧コンバータ228により提供される駆動電圧Vdrと駆動電流Idrは、比較的安定しているので、LED210は、点滅現象が少ない安定した明るさを提供することができる。
【００３９】
本実施の形態では、電圧コンバータ228は、降圧回路でもよく、または降圧コンバータ（buck converter）により実装されてもよいが、この考案は、これに限るものではない。また、電圧コンバータ228は、フィードバック信号iLをPWMユニット226bに出力することができ、PWMユニット226bは、フィードバック信号iLを参考としてPWM信号PWMSを調節することができる。フィードバック信号iLは、電圧コンバータ228により出力される駆動電圧Vdrと駆動電流Idrの状態を含む。
【００４０】
一方、本実施の形態の制御ユニット226は、特定用途向け集積回路（ASIC）で実行されるが、本考案は、これに限るものではない。図4Aは、この考案の他の実施の形態に基づく照明装置300の部分回路図である。図2と図4Aを参照すると、図2と図4Aの実施の形態は類似しており、両者間の差異は、図4Aの制御ユニット310がASICである。つまり、制御ユニット310は、図2の調整ユニット226aとPWMユニット226bを統合化したものである。一方、照明装置300は、コンデンサC3、抵抗器R5からR7のようなバイパス構造を更に含み、回路の電圧を更に安定させることができる。
【００４１】
図4Bは、図4Aの制御ユニット310の詳細回路図である。図4Aと図4Bを参照すると、制御ユニット310はASICであり、調整ユニット312とPWMユニット314を含む。さらに、制御ユニット310は、それぞれパワー入力ポートVIN、線形調光ポートLD、電圧出力ポートVdd、参照信号入力ポートPWMD、フィードバック信号入力ポートCS、グランドポートGND、周波数設定ポートRTと信号出力ポートGATEである複数の出入力（I/O）ポートを含み、そのうち周波数設定ポートRTは、ASICの振動数を設定するために用いられる。調整ユニット312は、パワー入力ポートVINと電圧出力ポートVddの間に連接され、パワー入力ポートVINを介して整流器ユニット222（図2に示す）からの第1の動作電圧Vfを受け取り、電圧出力ポートVddを介して、第2の動作電圧VDDをPWMユニット314の動作電圧として出力する。
【００４２】
図4Bに示すとおり、PWMユニット314は、第1のコンパレータ314a、第2のコンパレータ314b、論理ORゲート314c、プロセッサ314dを含む。第1のコンパレータ314aは、線状調光ポートLDからの分圧信号Vdを受け取るとともに、フィードバック信号入力ポートCSからのフィードバック信号iLを受け取り、第1の比較信号SC1を出力する。第2のコンパレータ314bは、フィードバック信号入力ポートCSからフィードバック信号iLを受け取るとともに参照信号SREFを受け取り、第2の比較信号SC2を出力する。
【００４３】
そして、論理ORゲート314cは、第1の比較信号SC1と第2の比較信号SC2に基づき制御信号SCRLを出力する。プロセッサ314dは、論理ORゲート314cに電気的に接続される。本実施の形態では、プロセッサ314dは、制御信号SCRLに基づいて、信号出力ポートGATEを介してPWM信号PWMSを出力する。さらに、図4で示すように、電圧出力ポートVddは、抵抗器R4を介して参照信号入力ポートPWMDに電気的に接続され、コンデンサC1に電気的に接続される。なお、抵抗器R1、コンデンサC1からC2及びダイオードD1の機能は、前記した実施の形態における説明と類似するので、その詳細な説明を繰り返すことはしない。
【００４４】
図5は、この考案の他の実施の形態に基づく照明装置400の略図である。照明装置400は、照明装置200に類似しており、両者の主な差異は、照明装置400は、フィルター222bを含まないことである。即ち、照明装置400の整流器ユニット222は、照明装置200の整流器222aに相当する。従って、本実施の形態の動作電圧Vfは、実質的に図面2の整流電圧Vmに相当する。
【００４５】
図面3Aから3B及び図面5を参照すると、上記の説明に基づくと、使用者は、調光装置240と照明装置220を介してLED210の明るさを調節することができる。つまり、使用者は調光装置240を介してACパワーVinを調節するので、ACパワーVinにデューティサイクルT1とT2を具えさせる。整流器222aは、ACパワーVinを整流し、デューティサイクルT3とT4を有する第1の動作電圧Vfを出力し、そのうちデューティサイクルT3はデューティサイクルT1に伴って変化し、デューティサイクルT4は、デューティサイクルT2に伴って変化する。そして、制御ユニット226は、分圧信号Vdとフィードバック信号iLに基づいて電圧コンバータ228にPWM信号PWMSを提供することができる。
【００４６】
最後に、電圧コンバータ228は、安定した駆動電圧Vdrと駆動電流Idrを提供するので、LED210は、点滅現象が少ない安定した明るさを提供することができる。これにより、整流器222aにより受け取られるACパワーVinが変化するとき、電圧コンバータ228によって提供される駆動電圧Vdrと駆動電流Idrは、対応して変化する。従って、LED210の明るさを調節する機能を達成するように、LED210の明るさが対応して変化する。注意すべきことは、本実施の形態の電圧コンバータ228は、整流器ユニット222（図2の整流器222aに相当する）に直接接続される。即ち、本実施の形態の第1の動作電圧Vfは、フィルター222b（図2に示す）に濾過されない。従って、LED210の駆動電流Idrと整流器ユニット222から出力される第1の動作電圧Vfは、同じ位相を有し、第1の動作電圧Vfと駆動電流Idrの波形図は、図6に示される。
【００４７】
図6は、TRIAC調光装が第3の位置（即ち、ディレイアングルα＝64度）に調節されるときの第1の動作電圧Vfと駆動電流Idrの波形図であり、PWM信号PWMSは、駆動電流Idr上の副搬送波（sub-carrier）である。電圧コンバータ228は、PWM信号PWMSに基づいてLED210のオンオフを制御する。図6に示すように、第1の動作電圧Vfと駆動電流Idrは、同じ位相を具えているので、本実施の形態の照明装置400は、0.962の高い力率を達成することができる。また、同様の位相やハードウェア線形を具えた調光機能を利用して照明装置400の調光範囲を広げることができる。
【００４８】
図7Aから7Cは、照明装置400の異なるディレイアングルαにおける第1の動作電圧Vfと第2の動作電圧VDDの波形図である。つまり図7A、7B及び7Cは、それぞれ、ディレイアングルα＝26度（調光装置の最大位置に対応する）、α＝64度（調光装置の第3の位置に対応する）とα＝155度（調光装置の最小位置に対応する）における第1の動作電圧Vfと第2の動作電圧VDDの波形図である。図7Aと7Bに示すように、ディレイアングルα＝26度とα＝64度のとき、第2の動作電圧VDDは、7.5Vの安定した電圧を維持し、ディレイアングルα＝155度のときも、第2の動作電圧VDDは、7.4Vの安定した電圧を維持する。従って、調光装置250の導通条件に関わらず、コンデンサC2（図4に示す）が充分な電圧を提供することができることにより、制御ユニット226が駆動され、それにより安定した駆動電圧Vdrと駆動電流IdrがLED210に提供されることができる。なお、コンデンサC2の機能は、上記実施の形態で説明しているので、ここでは繰り返して説明することはしない。
【００４９】
まとめると、本考案の照明装置は、LED駆動回路とLEDを含むので、LEDを具えた照明装置は、直接従来のランプベースに実装することができ、そこでの照明の明るさは従来の調光装置で調節することができる。照明装置は、調光装置により提供されるACパワーを整流することができ、電圧コンバータを調節するために第1の動作電圧とフィードバック信号に基づいてPWM信号を出力することができるので、電圧コンバータは、安定した駆動電圧と駆動電流をLEDに提供することができる。これにより、LEDの明るさを調節できるだけでなく、ACパワーの波形バリエーションで発生するLEDの点滅現象を回避することができる。また、照明装置の第1の動作電圧と駆動電流は同じ位相を有しているので、照明装置の高い力率を達成することができ、その調光範囲を広げることができる。
【００５０】
上記実施の形態を参考として本考案を説明したが、本考案の精神から離れることなく、前記実施の形態に修正又は修飾を行うことは本分野の一般的技術として明らかなことである。従って、考案の範囲は、付する請求の範囲を基準とするものであり、上記の記載に定義されるものではない。
【符号の説明】
【００５１】
100、200、300、400：照明装置
102、230：電源装置
104、240：調光装置
106：電球
210：発光ダイオード(LED)
220：駆動回路
222：整流器ユニット
222a：整流器
222b：フィルター
224：分圧回路
226、310：制御ユニット
226a、312：調整ユニット
226b、314：パルス幅変調（pulse width modulation/PWM）ユニット
228：電圧コンバータ
314a：第1のコンパレータ
314b：第2のコンパレータ
314c：論理ORゲート
314d：プロセッサ
R1からR7：抵抗器
C1からC3：コンデンサ
D1：ダイオード
Vs：入力電圧
Vin：交流（AC）パワー
Vm：整流電圧
Vf：第1の動作電圧
VDD：第2の動作電圧
Vd：分圧信号
iL：フィードバック信号
PWMS：パルス幅変調（pulse width modulation/PWM）信号
Vdr：駆動電圧
Idr:駆動電流
Vss：グランド端末
T1、T2、T3、T4：デューティサイクル
VIN：パワー入力ポート
LD：線形調光ポート
Vdd：電圧出力ポート
PWMD：参照信号入力ポート
CS：フィードバック信号入力ポート
GND：グランドポート
RT：周波数設定ポート
GATE：信号出力ポート
SREF：参照信号
SC1：第1の比較信号
SC2：第2の比較信号
SCRL：制御信号
【図１】
0003154763.tif 000003
【図２】
0003154763.tif 000004
【図３Ａ】
0003154763.tif 000005
【図３Ｂ】
0003154763.tif 000006
【図３Ｃ】
0003154763.tif 000007
【図４Ａ】
0003154763.tif 000008
【図４Ｂ】
0003154763.tif 000009
【図５】
0003154763.tif 000010
【図６】
0003154763.tif 000011
【図７Ａ】
0003154763.tif 000012
【図７Ｂ】
0003154763.tif 000013
【図７Ｃ】
0003154763.tif 000014